(57)【要約】      （修正有）【課題】手軽でコンパクトでありながら誰でも楽しめる野球ゲーム用の盤ゲームセットを提供する。【解決手段】シート状可撓性素材による方形の盤本体を設けるとともに、該盤本体上面にホームベースと１塁から３塁までのベースマークを有するとともに、各ベースマークを直線にて結んで内野陣を表現し、該内野陣の内外に駒置き場所を表現し、以上によるゲーム盤１を設け、一方、所定サイズ短円柱形のゲーム駒を設けるとともに、ゲーム駒を、ゲーム盤１の所定位置に定着させて用いるジャンケン駒としてのポジション駒と、ジャンケン結果にかかわらず回収再使用できる常用駒と、アウトにより相手チームに渡って相手チームが取得駒として再使用できる取得喪失駒の３種にて構成し、以上のゲーム盤１とゲーム駒との組み合わせよりなることを特徴とする。【選択図】図１
0003181200.tif 000002
【実用新案登録請求の範囲】
【請求項１】
シート状可撓性素材による方形の盤本体を設けるとともに、該盤本体上面にホームベースと１塁から３塁までのベースマークを有するとともに、各ベースマークを直線にて結んで内野陣を表現し、該内野陣の内外に駒置き場所を表現し、以上によるゲーム盤を設け、一方、所定サイズ短円柱形のゲーム駒を設けるとともに、ゲーム駒を、ゲーム盤の所定位置に定着させて用いるジャンケン駒としてのポジション駒と、ジャンケン結果にかかわらず回収再使用できる常用駒と、アウトにより相手チームに渡って相手チームが取得駒として再使用できる取得喪失駒の３種にて構成し、以上のゲーム盤とゲーム駒との組み合わせよりなることを特徴とする野球ゲーム用盤ゲームセット。
【請求項２】
ピッチャー駒とバッター駒ともに、各々の駒裏面にじゃんけんマークを個別に表現してなる請求項１記載の野球ゲーム用盤ゲームセット。
【請求項３】
ポジション駒をピッチャー駒とバッター駒、常用駒をヒットランナー駒とランナー駒およびアウト駒、取得喪失駒を２塁打駒、３塁打駒、ホームラン駒、牽制駒、ダブルアウト駒、バント駒、盗塁駒、ビームボール駒、キャッチャーボールアウト駒、走駒にて構成してなる請求項２記載の野球ゲーム用盤ゲームセット。
【考案の詳細な説明】
【技術分野】
【０００１】  この考案は、野球場を模したゲーム盤と、このゲームに用いる専用の駒との組み合わせよりなる野球ゲーム用盤ゲームセットに関する。
【背景技術】
【０００２】  従来より、種々の盤ゲームが考案され利用されてきているが、本案にて示すように、野球場を模したゲーム盤と、このゲームに用いる専用の駒との組み合わせによる盤ゲームセットは見あたらない。
【考案の概要】
【考案が解決しようとする課題】
【０００３】  今まで多種多様な盤ゲームが市販され利用されてきた。野球ゲームを模したものとしては、古くから利用されている野球盤がある。これは野球場を模して作られたゲーム盤を用い、ピッチャー位置より球をバッターに向けて送出し、バッターがバットを振ってこの球を打ち、はじかれた球がゲーム盤の特定位置に至ればその位置に表示されている内容にてバッターランナーの処遇が決まり、以下通常の野球と同様にゲーム進行ができるものである。以上の従来の野球盤は手軽に楽しめるもののその構造上、それなりの価格を有している。また折り畳み構造ではないために、運搬や保管に難があるという問題がある。
本案は以上に鑑み、より手軽に家庭で野球を模したゲームを楽しむことを目指すとともにその携帯運搬や保管にも便利なる、新規かつ有用なる盤ゲームセットを提供することを目的としたものである。
【課題を解決するための手段】
【０００４】  課題を解決する手段として本案は以下の構成とした。
すなわち、シート状可撓性素材による方形の盤本体を設けるとともに、該盤本体正面に、ホームベースと１塁から３塁までのベースマークを有するとともに、各ベースマークを直線にて結んで内野陣を表現し、該内野陣の内外に駒置き場所を表現し、以上によるゲーム盤を設け、一方、所定サイズ短円柱形のゲーム駒を設けるとともに、ゲーム駒を、ポジション駒と常用駒および取得喪失駒の３種にて構成し、以上のゲーム盤とゲーム駒とを組み合わせる。本案は以上の構成よりなる野球ゲーム用盤ゲームセットである。
【考案の効果】
【０００５】  本案ゲームは、可撓性のゲーム盤と短円柱形の駒にて構成され、駒によるジャンケン方式にて盤上の駒を操作し、実際の野球同様のゲーム進行を可能とする新規なゲームであり、老若男女を問わず誰でも楽しむことのできる盤ゲームを提供することができる。また、以上の構成から、コンパクトにまとめることが可能であり、携帯運搬や保管にも適した盤ゲームセットを得ることができる。
【図面の簡単な説明】
【０００６】
【図１】  本考案のゲーム盤の平面図
【図２】  本考案のピッチャー駒の平面図
【図３】  本考案のバッター駒の平面図
【図４】  本考案のジャンケン模様図（グー）
【図５】  本考案のジャンケン模様図（チョキ）
【図６】  本考案のジャンケン模様図（パー）
【図７】  本考案のランナー駒の平面図
【図８】  本考案のアウト駒の平面図
【図９】  本考案のヒット駒の平面図
【図１０】  本考案の二塁打駒の平面図
【図１１】  本考案の三塁打駒の平面図
【図１２】  本考案のホームラン駒の平面図
【図１３】  本考案の走駒の平面図
【図１４】  本考案のバント駒の平面図
【図１５】  本考案の盗塁駒の平面図
【図１６】  本考案の牽制駒の平面図
【図１７】  本考案のキャッチャーボールアウト駒の平面図
【図１８】  本考案のダブルアウト駒の平面図
【図１９】  本考案のビームボールアウト駒の平面図
【図２０】  本考案のピッチャーとバッターの対戦説明図
【図２１】  本考案のピッチャーとバッターの対戦説明図
【図２２】  本考案の牽制説明図
【図２３】  本考案の牽制説明図
【図２４】  本考案の盗塁説明図
【図２５】  本考案の盗塁説明図
【図２６】  本考案のダブルプレー説明図
【図２７】  本考案のダブルプレー説明図
【図２８】  本考案のキャッチャーボールアウト説明図
【図２９】  本考案のキャッチャーボールアウト説明図
【図３０】  本考案のビームボールアウト説明図
【図３１】  本考案のビームボールアウト説明図
【図３２】  本考案のバント説明図
【図３３】  本考案のバント説明図
【考案を実施するための最良の形態】
【０００７】  以下、本考案の実施形態について説明する。
本案は専用のゲーム盤と、このゲーム盤に用いる専用の駒複数個により構成されている。
図において、１はゲーム盤である。このゲーム盤は可撓性素材としての布体上面に所定模様を印刷表現したものである。２は外枠線で、布体端より所定距離を有して内側に表現される方形線であり、以下の模様表現は一部を除いてこの方形線内に表現される。
３は塁間線で、前記方形線の中間位置を結ぶ方形線である。従って、この塁間線の頂点は方形線形を９０度回転させた位置となる。その一つの頂点近傍における方形線外側には攻守表現文字４として、東の文字が表現され、その対向位置には西の文字が表現される。この攻守表現文字に近接してホームベース５が印刷にて設けられる。
また、このホームベース内に、塁間線に直交する線分が設けられて四角形が形成され、攻守交代したときの二塁ベースとして用いられる。この二塁ベース内にはホームベースとして用いるときのバッター位置表示６としてＢの文字が表現される。
方形枠の中心位置には、ピッチャー位置表示枠７として、円形の中にＰの文字２個を、一方はそのまま他方は１８０度回転させて近接して設けている。これは攻守交代により双方に使えるものとして、２個のＰ文字を配置を変えて表現したものである。
東を手前側として置いた場合、塁間線の右端角は一塁となってＲの文字が表現され、左端角は三塁となって１８０度回転したＲの文字が表現される。なお、二塁は西側のホームベース兼用となって１８０度回転したＢの文字が表現される。【０００８】  ８は攻撃駒配置枠で、円の中に攻の文字が表現され、これはホームベース近傍の塁間線上、一塁近傍の塁間線上、二塁近傍の塁間線上、三塁近傍の塁間線上に各々設けられる。
９は上記同様の守備駒配置枠で、円の中に守の文字が表現され、各塁近傍の塁間線内側に各々設けられる。１０はバント表示枠で、一塁近傍と三塁近傍の塁間線上に位置し、円の中に「攻バント走」の文字が表現される。
１１はランナー駒置き場で、外枠線角近傍に３個設けられ、円の中にＲの文字にて表現される。１２は攻撃駒置き場で、ランナー駒置き場に近接して１個が設けられ、円の中にｈの文字にて表現される。以上のランナー駒置き場と攻撃駒置き場は、外枠線の対角の位置にも同様に設けられる。
１３はアウト駒置き場で、円の中にｏｔの文字にて表現され、前記ランナー駒置き場上方の外枠線角内近傍に２個設けられる。なお、このアウト駒置き場も前記同様に外枠線内対角位置にも設けられる。以上が、本案に用いるゲーム盤である。【０００９】  次に、本案に用いる駒について説明する。各駒はすべて所定サイズの円板形（短円柱形）で、その表面に文字や模様が表現されている。２０はピッチャー駒で、全体が銀色でその表面にはＰｉｔの文字が別色にて表現され、裏面にはジャンケン模様が表現される。２１はバッター駒で、全体が金色でその表面にはＢａｔの文字が別色にて表現され、裏面にはジャンケン模様が表現される。ジャンケン模様は以下の３種である。
２２のグー模様は、所定形に黒く塗りつぶした模様である。２３のチョキ模様は、ハサミ形状の模様である。２４のパー模様は、四角紙の模様である。
ピッチャー駒とバッター駒ともに、各３個が設けられ、その裏面はグー、チョキ、パーの各模様のいずれか一つが表現される。以上のピッチャー駒とバッター駒はポジション駒（ジャンケン駒）に分類される。
２５はアウト駒で、その全体は赤く彩色され、その表面にはＯｕｔの文字が別色にて表現される。このアウト駒は共用で２個設けられる。２６はヒットランナー駒で、（安打）白駒と黒駒各１個が設けられ、その表面にｈｉｔの文字が別色にて表現される。２７はランナー駒で、（塁置き）白駒と黒駒各３個が設けられ、その表面にＲｕｎの文字が別色にて表現される。以上のヒットランナー駒、ランナー駒、アウト駒は常用駒（回収再使用する駒）に分類される。【００１０】  以下に示す駒はすべて一方の面が白色で他方の面が黒色となり、各々特有の文字が裏表同一に、駒面色と別色にて表現される。
２８は二塁打ヒット駒で、その面に２ｈｉｔの文字が表現され、４個が設けられる。
２９は三塁打ヒット駒で、３ｈｉｔの文字が表現され、４個が設けられる。
３０はホームラン駒で、ＨＲの文字が表現され、４個が設けられる。３１はバント駒で、バントの文字が表現され、４個が設けられる。３２は盗塁駒で、盗の文字が表現され、４個が設けられる。３３は走塁駒で、走の文字が表現され、１２個が設けられる。３４は牽制駒で、牽の文字が表現され、３個が設けられる。３５はダブルアウト駒（ダブルプレー）で、Ｗｏｕｔの文字が表現され、４個が設けられる。３６はキャッチャー送球アウトボール駒で、捕ｂａｌｌｏｕｔの文字が表現され、４個が設けられる。３７はビームボールアウト駒で、ビームｂａｌｌの文字が表現され、４個が設けられる。
以上の二塁打ヒット駒からビームボールアウト駒までの各駒は取得喪失駒（渡り駒）に分類され、アウトにより相手チームに渡り、相手チームはこれを得て取得駒として自チームの駒として再使用ができる。
以上が、本ゲームに用いる駒である。【００１１】  次に、本案ゲームの概要と進行について説明する。
（ゲーム概要）
１．駒の動きは、ピッチャー駒とバッター駒のジャンケン機能にて進められる。
２．投打は一球勝負とする。（一投一打）
３．１試合は６回にて終了とする。
４．チームは東側と西側に分かれて対戦する。
５．ピッチャー駒とバッター駒が同一ジャンケン模様のときは、あいこで、残塁駒を除き、勝負なしで双方自陣に戻って再プレーとなる。
（ゲームの進行）
１．ゲーム開始にあたり、白駒と黒駒のどちらを先攻とするのかを決める。
２．プレーボールの前に、双方ピッチャー駒とバッター駒を各々選び、所定ポジションに、ジャンケン模様が見えないように置く。
３．先攻側はバッター駒のうち、ヒット、二塁打、三塁打、ホームランのいずれか一つを選び、攻ポジションに置く。
４．これでプレーボールとなり、ピッチャー投げたとしてピッチャー駒を裏返してジャンケン模様を露出させる。
５．バッター打ったとして、バッター駒を裏返してジャンケン模様を露出させる。【００１２】６．相互のジャンケン模様にて勝敗が決し、ピッチャー勝ちのときはバッターアウトとなり、ヒット駒は戻り、二塁打駒、三塁打駒、ホームラン駒のいずれかは相手チームに渡り、アウト１となる。アウト駒が所定ポジションに置かれる。（図２０）
７．バッター勝ちのときは、攻ポジションに置いた駒が
ｈｉｔのときはヒットとして一塁にＲｕｎ駒を置く。
２ｈｉｔのときは二塁打として二塁にＲｕｎ駒を置く。
３ｈｉｔのときは三塁打として三塁にＲｕｎ駒を置く。
ＨＲのときは得点１とする。
攻ポジションに置いた攻撃駒は自陣にもどる。
８．（牽制）図２２〜図２３
牽制のときは、攻のポジションに駒を置かずに、Ｒｕｎ駒と牽制駒の一騎打ち勝負となる。二塁にランナーがいるときは、二塁にＲｕｎ駒があり、その近くの守ポジションに牽制駒を置き、ピッチャー駒とバッター駒のジャンケン勝負をする。バッター勝ちのときはＲｕｎ駒は三塁に進み、牽制駒は相手陣に渡る。ピッチャー勝ちのときは、アウトが一つ増えてＲｕｎ駒は自陣にもどる。【００１３】９．（バント）図３２〜図３３
攻撃側は攻ポジションにバント駒を置き、既述のジャンケン勝負をする。
このとき、一塁と三塁にランナー駒（Ｒｕｎ駒）がいるものとする。バント成功のときは、バント駒は自陣に戻り、一塁ランナー駒は二塁に、三塁ランナー駒はホームベースに移行し、一点が入る。バント打者はアウトとなり、アウト駒（Ｏｕｔ駒）が所定位置に置かれる。バント失敗のときは、バント駒と一塁ランナー駒は自陣に戻り、アウト２となる。
走駒は相手陣に渡る。
１０．（盗塁）図２４〜図２５
一塁と三塁にランナーがいるものとして、それぞれの塁にランナー駒が置かれている。
また、一塁近くの攻ポジションに盗駒が置かれる。ジャンケン勝負にて盗塁成功のときは、一塁ランナーは二塁に進み、盗塁駒は自陣へ戻る。盗塁失敗のときは、一塁ランナー駒は戻り、盗塁駒は相手陣に渡る。三塁ランナーはその位置にとどまる。（アウト１）
１１．（ダブルプレー）図２６〜図２７
満塁状態とする。三塁近くの守ポジションにダブルアウト駒が置かれている。
ジャンケン勝負にてダブルプレー成功のときは、三塁ランナー駒とダブルアウト駒は自陣に戻り、アウト二つとなってアウト駒が所定位置に置かれる。ダブルプレー失敗のときは、二塁ランナー駒は三塁に、三塁ランナー駒はホームベースに移行し、１点が入る。
ダブルアウト駒は相手陣へ渡る。
１２．（キャッチャー送球アウト）図２８〜図２９
これはキャッチャーが二塁へ送球して、ランナーをアウトにするものである。
一塁と二塁にランナーがいるものとする。一塁近くの攻ポジションと二塁近くの攻ポジションに走駒が置かれる。また、二塁近くの守ポジションに捕ボールアウト駒が置かれる。
キャッチャー送球アウト成功にて、二塁と一塁ランナーは相手陣に渡り、捕ボールアウト駒と走駒はそれぞれ自陣へ戻る。キャッチャー送球アウト失敗にて、一塁ランナーは二塁に、二塁ランナーは三塁に進む。捕ボールアウト駒は相手陣に渡り、走駒は自陣へ戻る。
１３．（ビームボールアウト）図３０〜図３１
これは、外野手がホームベースへ向けてダイレクトに送球してランナーアウトとするものである。二塁と三塁にランナーがいるものとし、各々走駒が置かれ、本塁の守ポジションにはビームボールアウト駒が置かれている。ビームボールアウト成功のときは、打者と三塁ランナーはアウトとして自陣へ戻る。ビームボールアウト駒も自陣へ戻る。ビームボールアウト失敗のときは、二塁ランナーは三塁に三塁ランナーはホームベースに移行し、得点となる。二塁走駒は自陣へ戻り、ビームボールアウト駒は相手陣へ渡る。【００１４】  以上、本案について記したが、本案は野球の要素を表したゲーム盤とこのゲーム盤とともに用いる専用の駒にて野球ゲームを楽しめる特徴を有するものである。
また、本案ゲームは駒を用いたジャンケンによる進行であり、ゲーム展開の意外性を効果的に表現するものである。なお、本案ゲームにおいては対戦チームが各々得点することとなるので、専用のイニングボード等を用いることが好ましく、紙に適宜に表現したものでもよい。既例においては大半の駒を白と黒にて表現したが、白と赤など他の色を用いてもよい。本案はシート状の盤と円板形の駒により構成されているので、コンパクトにまとめて運搬や収納に便利なものとなっている。既述の例は実施の一例であって近似の他の構成としてもよい。
以上のごとく、本案によって新規かつ有用なる野球ゲーム用の盤ゲームセットを得ることができる。
【符号の説明】
【００１５】  １  ゲーム盤
２  外枠線
３  塁間線
４  攻守表現文字
５  ホームベース
６  バッター位置表示
７  ピッチャー位置表示
８  攻撃駒配置枠
９  守備駒配置枠
１０  バント表示枠
１１  ランナー駒置き場
１２  攻撃駒置き場
１３  アウト駒置き場
２０  ピッチャー駒
２１  バッター駒
２２  グー模様
２３  チョキ模様
２４  パー模様
２５  アウト駒
２６  ヒットランナー駒
２７  ランナー駒
２８  二塁打ヒット駒
２９  三塁打ヒット駒
３０  ホームラン駒
３１  バント駒
３２  盗塁駒
３３  走塁駒
３４  牽制駒
３５  ダブルアウト駒
３６  キャッチャーボールアウト駒
３７  ビームボールアウト駒
【図１】
0003181200.tif 000003
【図２】
0003181200.tif 000004
【図３】
0003181200.tif 000005
【図４】
0003181200.tif 000006
【図５】
0003181200.tif 000007
【図６】
0003181200.tif 000008
【図７】
0003181200.tif 000009
【図８】
0003181200.tif 000010
【図９】
0003181200.tif 000011
【図１０】
0003181200.tif 000012
【図１１】
0003181200.tif 000013
【図１２】
0003181200.tif 000014
【図１３】
0003181200.tif 000015
【図１４】
0003181200.tif 000016
【図１５】
0003181200.tif 000017
【図１６】
0003181200.tif 000018
【図１７】
0003181200.tif 000019
【図１８】
0003181200.tif 000020
【図１９】
0003181200.tif 000021
【図２０】
0003181200.tif 000022
【図２１】
0003181200.tif 000023
【図２２】
0003181200.tif 000024
【図２３】
0003181200.tif 000025
【図２４】
0003181200.tif 000026
【図２５】
0003181200.tif 000027
【図２６】
0003181200.tif 000028
【図２７】
0003181200.tif 000029
【図２８】
0003181200.tif 000030
【図２９】
0003181200.tif 000031
【図３０】
0003181200.tif 000032
【図３１】
0003181200.tif 000033
【図３２】
0003181200.tif 000034
【図３３】
0003181200.tif 000035